(57)【要約】 【課題】  衛生陶器のような製造ばらつきの影響を受けないでガタツキのない部材開口の化粧キャップの固定方法を提供する。【解決手段】    部材開口に固定される化粧キャップの取り付け構造であって、前記化粧キャップは、前記開口周囲の部材表面に当接するリング状のフランジ部と、前記開口の内方に位置する脚部とからなり、この脚部には、螺子が貫通固定される孔が設けられ、前記開口の内周面には、開口から内方に向かって漸次拡径したテーパ面を形成し、前記螺子を固定する際に、前記螺子先端が前記テーパ面に当接した状態で化粧キャップとともに前記テーパ面に沿って内方に移動可能であることを特徴とする化粧キャップの取り付け構造。【選択図】        図２
2008031785.tif 000002
【特許請求の範囲】
【請求項１】
部材開口に固定される化粧キャップの取り付け構造であって、
前記化粧キャップは、前記開口周囲の部材表面に当接するリング状のフランジ部と、
前記開口の内方に位置する脚部とからなり、
この脚部には、螺子が貫通固定される孔が設けられ、
前記開口の内周面には、開口から内方に向かって漸次拡径したテーパ面を形成し、
前記螺子を前記脚部の孔に固定する際に、前記螺子先端が前記テーパ面に当接した状態で化粧キャップとともに前記テーパ面に沿って内方に移動可能であることを特徴とする化粧キャップの取り付け構造。
【請求項２】
前記テーパ面は、前記開口の内周面に形成された溝の底面に形成されていることを特徴とする請求項１記載の化粧キャップの取り付け構造。
【請求項３】
前記脚部の先端は、前記口内周面内に位置していることを特徴とする請求項１記載の化粧キャップの取り付け構造。
【請求項４】
前記請求項１乃至３の何れかに記載の化粧キャップの取り付け構造を利用した衛生設備機器。
【発明の詳細な説明】
【技術分野】
【０００１】
本発明は、洗面器や浴槽といった衛生設備機器のオーバーフロー孔などの開口周囲を覆う化粧キャップの取り付け構造及びそれを用いた衛生設備機器に関する。
【背景技術】
【０００２】
例えば、洗面器のオーバーフロー孔の化粧キャップは、樹脂成形品や金属の部品にめっき等の表面処理を施したものを、ボウル面側に面するオーバーフロー孔周囲を覆うように固定して、主として意匠性の向上を図ったものである。
【０００３】
上記化粧キャップは、通常、外観に現れるリング状のフランジ部とオーバーフロー孔内に挿入されるフランジ部から連設された脚部とにより構成されている。
【０００４】
化粧キャップを固定する方法としては、オーバーフロー孔から流出される水を排水配管に誘導する接続管を利用するもので、この接続管のオーバーフロー孔近傍に設けられた係止部に、化粧キャップの脚部の弾性変形を利用して係止するフックを脚部に設け、オーバーフロー孔から脚部を押し込むことによって、フックと係止部が嵌合して化粧キャップが固定されるものがある。（例えば、特許文献１）
【０００５】
【特許文献１】実開昭５３−２０１４２公報
【発明の開示】
【発明が解決しようとする課題】
【０００６】
上記のような化粧キャップの固定では、化粧キャップを固定する内部の接続管の構成が複雑になる。また、フックの固定の場合には、洗面器の接続管を陶器で一体に形成した流路で構成し、その洗面器のオーバーフロー孔内のボウル側開口と反対側の開口の周囲である洗面器周囲の端面を係止部として、接続管なしで固定することも可能である。  
しかしながら、衛生陶器のような製造ばらつきがあるものでは、化粧キャップの平面部が陶器面に密接しないで、隙間をもって固定されることがあるので、化粧キャップにガタツキが生じるといった問題点を有していた。
【０００７】
本発明は、衛生陶器のような製造ばらつきの影響を受けないでガタツキのない化粧キャップの固定方法を提供することを目的とする。
【課題を解決するための手段】
【０００８】
上記課題を解決するため、本発明は、部材開口に固定される化粧キャップの取り付け構造であって、前記化粧キャップは、前記開口周囲の部材表面に当接するリング状のフランジ部と、前記開口の内方に位置する脚部とからなり、この脚部には、螺子が貫通固定される孔が設けられ、前記開口の内周面には、開口から内方に向かって漸次拡径したテーパ面を形成し、前記螺子を前記脚部の孔に固定する際に、前記螺子先端が前記テーパ面に当接した状態で化粧キャップとともに前記テーパ面に沿って内方に移動可能であることを特徴とする化粧キャップの取り付け構造とした。
【０００９】
上記構成とすることで、化粧キャップは、脚部の孔に螺子を固定する際に、螺子が脚部を貫通し、螺子の先端がテーパ面に当接して、更に、螺子を押し込むと螺子の先端は、テーパ面に沿って滑り内方に移動するが、その際、螺子によって固定されている化粧キャップも同様に移動することになる。この移動は、化粧キャップのフランジ部が開口周囲の部材表面に当接して、螺子の移動が規制されるまで行われ取り付けが完了する。
【００１０】
また、好ましい形態として、テーパ面を前記開口の内周面に形成された溝の底面に形成した。このような構成とすることで、例えば、化粧キャップに上下方向があったり、異型のフランジ部であったり、固定に際して方向性が要求されるような場合には、脚部の孔の位置を溝の位置を予め調整しておくことによって、化粧キャップを適切な位置に固定することでできる。
【００１１】
また、好ましい形態として、脚部の先端は、開口内周面内に位置していることとした。この様な構成とすることで、例えば、オーバーフロー孔から排出される水が開口を経由して排水路に向かうことになるが、その際に、排水路の流路抵抗となるようなもの（従来のフックなど）が存在しないので、流水の圧力損失をもたらさず、良好なオーバーフロー性能を発揮できることになる。
【発明の効果】
【００１２】
本発明によれば、衛生陶器のような製造ばらつきの影響を受けないでガタツキのない部材開口の化粧キャップの固定方法を提供することができる。
【発明を実施するための最良の形態】
【００１３】
以下に本発明の実施の形態を添付図面に基づいて説明する。図１は本発明に係る洗面器の断面図、図２は図１の破線囲まれた部位Aの拡大図、図３は、オーバーフロー孔の内方（矢印B方向）から見た拡大図である。
【００１４】
図１に示すように、陶器で形成される洗面器１は、水を溜めうるボウル部２と、水を排出する排水口３と、ボウル部２上縁のリム部４より低い位置で、洗面器を利用する場合の使用者の正面（図面では、右側）設けられたオーバーフロー孔５と、前記排水口３とオーバーフロー孔５とをつなぐ排水路６とからなっている。排水路６は、陶器で一体に形成されている。
【００１５】
前記オーバーフロー孔５には、化粧キャップ７が固定されている。化粧キャップ７は、ボウル部２側に臨む円形リング形状のフランジ部８と脚部９とからなり、前記脚部には、螺子１０が固定し得る孔９aが形成されている。
【００１６】
また、オーバーフロー孔５の奥行きは、陶器の厚みに相当する内周面は、オーバーフロー孔５のボウル部２側の開口から内方（排水路側）向かって漸次拡径したテーパ面１１が内周面全周に形成されている。
【００１７】
なお、前記テーパ面１１は、内周面全周に形成することなく、図３に示すようオーバーフロー孔５の内周面の一部に溝５aを形成し、その底面をテーパ面としても良い。この場合、テーパ面の位置が決まるので、それに合わせて、化粧キャップ７の脚部９の孔９ａの位置を設定できるので、化粧キャップ７の上下、回転方向の位置を設定された位置に配置することが可能となる。
【００１８】
また、化粧キャップ７の脚部９を円筒状とすることで、オーバーフロー孔の内周面は、化粧キャップ９の脚部９の内周面で覆われることになるので、表面が平滑であることによる汚れの付着や内周面がめっきや金属表面となるので、オーバーフロー孔内の意匠性も向上することが可能となる。このことは、従来、脚部に弾性を付与するために形成されたスリットが、脚部内周面に凹凸を形成し、その段差が使用者の目に触れることで、洗面器と化粧キャップとの一体感を損ね意匠性が低下してしまったことに対して優位性が有する。
【００１９】
以上の構成からなる洗面器のオーバーフロー孔の化粧キャップの固定動作を化粧キャップとオーバーフロー孔のテーパ面を拡大して模式化した図４に基づいて説明する。
【００２０】
先ず、図４（ａ）は初期状態で化粧キャップ７の脚部９をオーバーフロー孔５内に挿入した状態を示している。通常は、フランジ部８はオーバーフロー孔５の周囲の陶器面に、当接した状態で多少のガタツキをもって固定動作に入るが、化粧キャップの動きが理解しやすいようにフランジ８と洗面器１陶器面は、若干の隙間を空けている。
【００２１】
次に、螺子１０を脚部９に孔９ａ内に位置させ、螺子１０を回転させ締めこむことで、化粧キャップ７を固定していく、螺子１０は、孔９ａを貫通し、オーバーフロー孔５内周面に形成されたテーパ面１１に当接する。更に、螺子１０を回転させ、テーパ面１１に螺子１０先端を押し付けると螺子１０の先端は、図４（ｂ）に示すようにテーパ面１１を滑りながら内方（図示右側）に移動することになる。この際、化粧キャップ７は、螺子１０に孔９aにガタツキなく固定されている状態であるので、螺子１０の移動と化粧キャップ７の移動は一緒の動作となる。
【００２２】
上記動作を続けると化粧キャップ７のフランジ部９がオーバーフロー孔５の周囲の陶器面に押し付けられ、螺子１０の移動ができなくなるまで螺子１０を締めこむことで、フランジ部８はオーバーフロー孔５の周囲の陶器面に付勢された状態で固定されるため、ガタツキのない固定が可能となっている。
【００２３】
また、脚部９に先端は、オーバーフロー孔５の開口内周面内に位置している。排水路６内までに突出しない位置にすることで、流水の圧力損失をもたらさず、オーバーフローした水は、円滑に排水路６にまで流れ込み排水口３に至ることになる。
【００２４】
更に、固定完了の際に、螺子の頭の部分は、化粧キャップ内周面と面一かそれより内側に来るように設定することで、内周面の意匠性、排水時の圧損を生じさせないようにできる。
【００２５】
上記実施形態では、衛生陶器である洗面器の例を示したが、浴槽のオーバーフロー孔にも適用可能なことは当然であるが、その他の衛生設備機器に限らず、部材の開口周囲の意匠性向上や開口内の流路形成など部材の開口に固定する化粧キャップに適用可能なものである。
【図面の簡単な説明】
【００２６】
【図１】本発明に係る洗面器の断面図
【図２】図１に係るＡ部拡大図
【図３】本発明のテーパ面の他の形態を示す部分外観図
【図４】（ａ）、（ｂ）は本発明に係る動作を説明した図
【符号の説明】
【００２７】
１…洗面器、２…ボウル部、３…排水口、４…リム部、５…オーバーフロー孔、5a…溝、６…排水路、７…化粧キャップ、８…フランジ部、９…脚部、１０…螺子、１１…テーパ面。
【図１】
2008031785.tif 000003
【図２】
2008031785.tif 000004
【図３】
2008031785.tif 000005
【図４】
2008031785.tif 000006